(57)【要約】【課題】  制御信号の受信特性を改善することを可能とする送信装置、受信装置、デジタル放送システム及びチップを提供する。【解決手段】  送信装置１０は、制御シンボル系列の少なくとも一部を時空間符号化によって符号化し、複数系統の制御シンボル系列を生成する符号化部１２Ｃと、複数系統の制御シンボル系列を含む伝送フレームを生成するＯＦＤＭフレーム化部１３とを備える。【選択図】図１
2015080037.tif 000002
【特許請求の範囲】
【請求項１】
データ信号の復調に用いる制御信号に対応する制御シンボル系列の少なくとも一部を時空間符号化によって符号化し、複数系統の制御シンボル系列を生成する制御信号符号化部と、
前記複数系統の制御シンボル系列を含む伝送フレームを生成する伝送フレーム生成部とを備えることを特徴とする送信装置。
【請求項２】
前記伝送フレーム生成部は、前記複数系統の制御シンボル系列のそれぞれを含む複数系統の伝送フレームを生成し、
前記複数系統の伝送フレームは、ＭＩＳＯ伝送又はＭＩＭＯ伝送によって送信されることを特徴とする請求項１に記載の送信装置。
【請求項３】
前記伝送フレーム生成部は、前記複数系統の制御シンボル系列を含む１系統の伝送フレームを生成し、
前記１系統の伝送フレームは、ＳＩＳＯ伝送によって送信されることを特徴とする請求項１に記載の送信装置。
【請求項４】
前記制御信号は、前記伝送フレームの同期に用いる同期信号と、前記データ信号の伝送パラメータ信号とを含み、
前記制御信号符号化部は、前記制御シンボル系列のうち、前記同期信号を除いた信号に対応するシンボル系列を時空間符号化によって符号化することを特徴とする請求項２又は請求項３に記載の送信装置。
【請求項５】
前記制御シンボル系列は、互いに異なる送信装置によって２段階で時空間符号化されることを特徴とする請求項２又は請求項３に記載の送信装置。
【請求項６】
時空間符号化によって生成される複数系統の制御シンボル系列を含む伝送フレームを受信する受信部と、
前記複数系統の制御シンボル系列の少なくとも一部を時空間復号によって復号し、制御シンボル系列の少なくとも一部を生成する制御信号復号部とを備えることを特徴とする受信装置。
【請求項７】
受信装置に搭載されるチップであって、
時空間符号化によって生成される複数系統の制御シンボル系列を含む伝送フレームを受信する受信部と、
前記複数系統の制御シンボル系列の少なくとも一部を時空間復号によって復号し、制御シンボル系列の少なくとも一部を生成する制御信号復号部とを備えることを特徴とするチップ。
【請求項８】
送信装置及び受信装置を備えるデジタル放送システムであって、
前記送信装置は、
データ信号の復調に用いる制御信号に対応する制御シンボル系列の少なくとも一部を時空間符号化によって符号化し、複数系統の制御シンボル系列を生成する制御信号符号化部と、
前記複数系統の制御シンボル系列を含む伝送フレームを生成する伝送フレーム生成部とを備え、
前記受信装置は、
前記伝送フレームを受信する受信部と、
前記複数系統の制御シンボル系列を時空間復号によって復号し、前記制御シンボル系列の少なくとも一部を生成する制御信号復号部とを備えることを特徴とするデジタル放送システム。
【発明の詳細な説明】
【技術分野】
【０００１】
本発明は、送信装置、受信装置、デジタル放送システム及びチップに関する。
【背景技術】
【０００２】
日本における地上デジタル放送方式であるＩＳＤＢ-Ｔ（Ｉｎｔｅｇｒａｔｅｄ  Ｓｅｒｖｉｃｅｓ  Ｄｉｇｉｔａｌ  Ｂｒｏａｄｃａｓｔｉｎｇ  -  Ｔｅｒｒｅｓｔｒｉａｌ）方式では、送信装置は、データフレーム及び制御信号（ＴＭＣＣ情報やＡＣ信号）によって構成される伝送フレーム（ＯＦＤＭフレーム）毎に、映像・音声等のデータを送信する。制御信号は、伝送フレーム毎に伝送フレームに挿入される。また、受信装置は、伝送フレームの同期をとることによって、映像・音声等のデータを受信する（例えば、非特許文献１）。
【先行技術文献】
【非特許文献】
【０００３】
【非特許文献１】「地上デジタルテレビジョン放送の伝送方式  標準規格」  ＡＲＩＢ  ＳＴＤ−Ｂ３１
【発明の概要】
【発明が解決しようとする課題】
【０００４】
ところで、上述した制御信号（ＴＭＣＣ情報やＡＣ信号）は、データフレームの復調に用いられており、非常に重要な情報である。従って、制御信号（ＴＭＣＣ情報やＡＣ信号）の受信特性が非常に重要である。
【０００５】
しかしながら、送信装置が有する複数本のアンテナから制御信号を送信する場合に、受信装置において制御信号がマルチパスで受信されるため、制御信号の受信特性が劣化する。特に、デジタル放送の部分受信では、制御信号に割り当てられるキャリアが少なく、制御信号の受信特性が著しく劣化する。
【０００６】
そこで、本発明は、上述した課題を解決するためになされたものであり、制御信号の受信特性を改善することを可能とする送信装置、受信装置、デジタル放送システム及びチップを提供することを目的とする。
【課題を解決するための手段】
【０００７】
第１の特徴は、データ信号の復調に用いる制御信号に対応する制御シンボル系列の少なくとも一部を時空間符号化によって符号化し、複数系統の制御シンボル系列を生成する制御信号符号化部と、前記複数系統の制御シンボル系列を含む伝送フレームを生成する伝送フレーム生成部とを備える送信装置を要旨とする。
【０００８】
第２の特徴は、時空間符号化によって生成される複数系統の制御シンボル系列を含む伝送フレームを受信する受信部と、前記複数系統の制御シンボル系列を時空間復号によって復号し、制御シンボル系列の少なくとも一部を生成する制御信号復号部とを備える受信装置を特徴とする。
【０００９】
第３の特徴は、受信装置に搭載されるチップであって、時空間符号化によって生成される複数系統の制御シンボル系列を含む伝送フレームを受信する受信部と、前記複数系統の制御シンボル系列を時空間復号によって復号し、制御シンボル系列の少なくとも一部を生成する制御信号復号部とを備えることを要旨とする。
【００１０】
第４の特徴は、送信装置及び受信装置を備えるデジタル放送システムであって、前記送信装置は、データ信号の復調に用いる制御信号に対応する制御シンボル系列の少なくとも一部を時空間符号化によって符号化し、複数系統の制御シンボル系列を生成する制御信号符号化部と、前記複数系統の制御シンボル系列を含む伝送フレームを生成する伝送フレーム生成部とを備え、前記受信装置は、前記伝送フレームを受信する受信部と、前記複数系統の制御シンボル系列を時空間復号によって復号し、前記制御シンボル系列の少なくとも一部を生成する制御信号復号部とを備えることを得要旨とする。
【発明の効果】
【００１１】
本発明によれば、制御信号の受信特性を改善することを可能とする送信装置、受信装置、デジタル放送システム及びチップを提供することができる。
【図面の簡単な説明】
【００１２】
【図１】図１は、第１実施形態に係る送信装置１０を示すブロック図である。
【図２】図２は、第１実施形態に係る時空間符号化の一例を示す図である。
【図３】図３は、第１実施形態に係る時空間符号化の一例を示す図である。
【図４】図４は、第１実施形態に係る受信装置２０を示すブロック図である。
【図５】図５は、変更例１に係る送信装置１０を示すブロック図である。
【図６】図６は、変更例１に係る受信装置２０を示すブロック図である。
【図７】図７は、変更例２に係る送信装置１０を示すブロック図である。
【図８】図８は、変更例２に係る時空間符号化の一例を示す図である。
【図９】図９は、変更例３に係る送信装置１０を示すブロック図である。
【図１０】図１０は、変更例４に係る時空間符号化の一例を示す図である。
【図１１】図１１は、変更例４に係る時空間符号化の一例を示す図である。
【図１２】図１２は、変更例５に係る時空間符号化の一例を示す図である。
【発明を実施するための形態】
【００１３】
次に、本発明の実施形態について説明する。なお、以下の図面の記載において、同一または類似の部分には、同一または類似の符号を付している。ただし、図面は模式的なものであり、各寸法の比率などは現実のものとは異なることに留意すべきである。
【００１４】
したがって、具体的な寸法などは以下の説明を参酌して判断すべきものである。また、図面相互間においても互いの寸法の関係や比率が異なる部分が含まれていることは勿論である。
【００１５】
［実施形態の概要］
実施形態に係る送信装置は、データ信号の復調に用いる制御信号に対応する制御シンボル系列の少なくとも一部を時空間符号化によって符号化し、複数系統の制御シンボル系列を生成する制御信号符号化部と、前記複数系統の制御シンボル系列を含む伝送フレームを生成する伝送フレーム生成部とを備える。
【００１６】
実施形態では、制御信号符号化部は、制御信号（ＴＭＣＣ信号及びＡＣ信号等）を時空空間符号化によって符号化するため、制御信号の逆相合成が抑制され、制御信号の受信特性を改善することができる。
【００１７】
［第１実施形態］
（デジタル放送システム）
以下において、第１実施形態に係るデジタル放送システムについて説明する。図１は、第１実施形態に係る送信装置１０を示すブロック図であり、図４は、第１実施形態に係る受信装置２０を示すブロック図である。デジタル放送システムは、送信装置１０及び受信装置２０を備える。
【００１８】
実施形態において、デジタル放送システムは、次世代地上放送方式に対応するデジタル放送システムである。例えば、デジタル放送システムでは、ＭＩＭＯ（Ｍｕｌｔｉｐｌｅ  Ｉｎｐｕｔ  Ｍｕｌｔｉｐｌｅ  Ｏｕｔｐｕｔ）技術又はＭＩＳＯ（Ｍｕｌｔｉｐｌｅ  Ｉｎｐｕｔ  Ｓｉｎｇｌｅ  Ｏｕｔｐｕｔ）技術、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）技術が適用される。デジタル放送システムでは、送信装置１０から受信装置２０に対して、複数の階層に属する階層化データ（例えば、１セグメント、１３セグメント）が送信される。
【００１９】
（送信装置）
図１に示すように、送信装置１０は、データ信号処理部１１と、制御信号処理部１２と、ＯＦＤＭフレーム化部１３と、ＩＦＦＴ部１４と、ＧＩ付加部１５とを備える。
【００２０】
データ信号処理部１１は、外部から入力されるデータ信号（映像データ信号、音声データ信号等）を処理する。具体的には、データ信号処理部１１は、誤り訂正外符号化部１１Ａと、誤り訂正内符号化部１１Ｂと、キャリア変調部１１Ｃと、符号化部１１Ｄとを有する。
【００２１】
誤り訂正外符号化部１１Ａは、外部から入力されるデータに対して誤り訂正外符号処理（例えば、リードソロモン符号化処理）を施す。
【００２２】
誤り訂正内符号化部１１Ｂは、誤り訂正外符号化部１１Ａから出力されるビット列に対して誤り訂正外符号処理（例えば、畳み込み符号化処理）を施す。
【００２３】
キャリア変調部１１Ｃは、誤り訂正内符号化部１１Ｂから出力される所定数のビット列を１つのデータシンボルとしてＩＱ平面上にマッピングする。キャリア変調処理としては、例えば、偶数のビット列を１データシンボルとしてマッピングする６４ＱＡＭ、２５６ＱＡＭ、１０２４ＱＡＭ等が用いられる。或いは、キャリア変調処理として、奇数のビット列を１データシンボルとしてマッピングする３２ＱＡＭ、１２８ＱＡＭ、５１２ＱＡＭ等が用いられてもよい。
【００２４】
符号化部１１Ｄは、キャリア変調部１１Ｃから出力されるデータシンボル系列を時空間符号化によって符号化して、２系統のデータシンボル系列を出力する。ここでは、アンテナＴｘ１から送信される信号に対応するデータシンボル系列を第１データシンボル系列と称し、アンテナＴｘ２から送信される信号に対応するデータシンボル系列を第２データシンボル系列と称する。
【００２５】
時空間符号化は、図２に示すように、ＳＴＢＣ（Ｓｐａｃｅ  Ｔｉｍｅ  Ｂｌｏｃｋ  Ｃｏｄｉｎｇ）であってもよく、図３に示すように、ＳＦＢＣ（Ｓｐａｃｅ  Ｆｒｅｑｕｅｎｃｙ  Ｂｌｏｃｋ  Ｃｏｄｉｎｇ）であってもよい。
【００２６】
具体的には、符号化部１１Ｄは、第１シンボルＰ０及び第２シンボルＰ１によって構成されるブロック毎に、第１シンボルＰ０及び第２シンボルＰ１を符号化する。時空間符号化で用いる変換行列は、変換行列Ｊ〜変換行列Ｍのいずれかである。変換行列Ｊ〜変換行列Ｍは、以下に示す通りである。
【００２７】
【数１】
2015080037.tif 000003
【００２８】
【数２】
2015080037.tif 000004
【００２９】
【数３】
2015080037.tif 000005
【００３０】
【数４】
2015080037.tif 000006
【００３１】
変換行列Ｊは、Ａｌａｍｏｕｔｉの時空間ブロック符号化行列である。変換行列Ｊにおいて、行は、各送信アンテナから送信されるシンボルを示している。また、時空間符号化がＳＴＢＣ（Ｓｐａｃｅ  Ｔｉｍｅ  Ｂｌｏｃｋ  Ｃｏｄｉｎｇ）であれば、変換行列Ｊにおいて、列は、各送信時刻で送信されるシンボルを示している。一方で、時空間符号化がＳＦＢＣ（Ｓｐａｃｅ  Ｆｒｅｑｕｅｎｃｙ  Ｂｌｏｃｋ  Ｃｏｄｉｎｇ）であれば、変換行列Ｊにおいて、列は、各周波数（ＯＦＤＭ伝送では、ＯＦＤＭフレームを構成するキャリアの番号）で送信されるシンボルを示している。
【００３２】
変換行列Ｋは、Ａｌａｍｏｕｔｉの時空間ブロック符号化行列である。変換行列Ｋにおいて、行は、各送信アンテナから送信されるシンボルを示している。また、時空間符号化がＳＴＢＣ（Ｓｐａｃｅ  Ｔｉｍｅ  Ｂｌｏｃｋ  Ｃｏｄｉｎｇ）であれば、変換行列Ｋにおいて、列は、各送信時刻で送信されるシンボルを示している。一方で、時空間符号化がＳＦＢＣ（Ｓｐａｃｅ  Ｆｒｅｑｕｅｎｃｙ  Ｂｌｏｃｋ  Ｃｏｄｉｎｇ）であれば、変換行列Ｋにおいて、列は、各周波数（ＯＦＤＭ伝送では、ＯＦＤＭフレームを構成するキャリアの番号）で送信されるシンボルを示している。
【００３３】
変換行列Ｌは、Ｍｏｄｉｆｉｅｄ  Ａｌａｍｏｕｔｉの時空間ブロック符号化行列である。変換行列Ｌにおいて、行は、各送信アンテナから送信されるシンボルを示している。また、時空間符号化がＳＴＢＣ（Ｓｐａｃｅ  Ｔｉｍｅ  Ｂｌｏｃｋ  Ｃｏｄｉｎｇ）であれば、変換行列Ｌにおいて、列は、各送信時刻で送信されるシンボルを示している。一方で、時空間符号化がＳＦＢＣ（Ｓｐａｃｅ  Ｆｒｅｑｕｅｎｃｙ  Ｂｌｏｃｋ  Ｃｏｄｉｎｇ）であれば、変換行列Ｌにおいて、列は、各周波数（ＯＦＤＭ伝送では、ＯＦＤＭフレームを構成するキャリアの番号）で送信されるシンボルを示している。
【００３４】
変換行列Ｍは、Ｍｏｄｉｆｉｅｄ Ａｌａｍｏｕｔｉの時空間ブロック符号化行列である。変換行列Ｍにおいて、行は、各送信アンテナから送信されるシンボルを示している。また、時空間符号化がＳＴＢＣ（Ｓｐａｃｅ  Ｔｉｍｅ  Ｂｌｏｃｋ  Ｃｏｄｉｎｇ）であれば、変換行列Ｍにおいて、列は、各送信時刻で送信されるシンボルを示している。一方で、時空間符号化がＳＦＢＣ（Ｓｐａｃｅ  Ｆｒｅｑｕｅｎｃｙ  Ｂｌｏｃｋ  Ｃｏｄｉｎｇ）であれば、変換行列Ｍにおいて、列は、各周波数（ＯＦＤＭ伝送では、ＯＦＤＭフレームを構成するキャリアの番号）で送信されるシンボルを示している。
【００３５】
制御信号処理部１２は、制御信号を処理する。具体的には、制御信号処理部１２は、制御信号生成部１２Ａと、キャリア変調部１２Ｂと、符号化部１２Ｃと、差動変調部１２Ｄとを有する。
【００３６】
制御信号生成部１２Ａは、ＴＭＣＣ（Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  Ｃｏｎｔｒｏｌ）信号、ＡＣ（Ａｕｘｉｌｉａｒｙ  Ｃｈａｎｎｅｌ）信号等の制御信号を生成する。例えば、ＴＭＣＣ信号（伝送制御信号）は、複数の階層のそれぞれの伝送パラメータ（変調方式、セグメント数、符号化率等）を示す信号、ＯＦＤＭフレーム（伝送フレーム）の同期をとるための同期信号を含む。
【００３７】
キャリア変調部１２Ｂは、制御信号生成部１２Ａから出力される所定数のビット列を１つの制御シンボルとしてＩＱ平面上にマッピングする。キャリア変調処理としては、例えば、ＢＰＳＫ等が用いられる。
【００３８】
符号化部１２Ｃは、キャリア変調部１２Ｂから出力される制御シンボル系列を時空間符号化によって符号化して、２系統の制御シンボル系列を出力する。ここでは、アンテナＴｘ１から送信される信号に対応する制御シンボル系列を第１制御シンボル系列と称し、アンテナＴｘ２から送信される信号に対応する制御シンボル系列を第２制御シンボル系列と称する。
【００３９】
時空間符号化は、図２に示すように、ＳＴＢＣ（Ｓｐａｃｅ  Ｔｉｍｅ  Ｂｌｏｃｋ  Ｃｏｄｉｎｇ）であってもよく、図３に示すように、ＳＦＢＣ（Ｓｐａｃｅ  Ｆｒｅｑｕｅｎｃｙ  Ｂｌｏｃｋ  Ｃｏｄｉｎｇ）であってもよい。
【００４０】
具体的には、符号化部１２Ｃは、第１制御シンボルＰ０及び第２制御シンボルＰ１によって構成されるブロック毎に、第１制御シンボルＰ０及び第２制御シンボルＰ１を符号化する。時空間符号化で用いる変換行列は、変換行列Ｊ〜変換行列Ｍのいずれかである。変換行列Ｊ〜変換行列Ｍは、上述した通りである。
【００４１】
すなわち、第１実施形態において、符号化部１２Ｃは、データ信号の復調に用いる制御信号に対応する制御シンボル系列の少なくとも一部を時空間符号化によって符号化し、複数系統の制御シンボル系列を生成する制御信号符号化部を構成する。
【００４２】
差動変調部１２Ｄは、符号化部１２Ｃから出力される２系統の制御シンボル系列のそれぞれに対して、差動変調処理を施す。
【００４３】
ＯＦＤＭフレーム化部１３は、ＯＦＤＭフレーム化部１３Ａ及びＯＦＤＭフレーム化部１３Ｂを含む。ＯＦＤＭフレーム化部１３Ａは、符号化部１１Ｄから出力される第１データシンボル系列及び差動変調部１２Ｄから出力される第１制御シンボル系列に基づいて、所定数のサブキャリア（周波数軸）及び所定数のシンボル数（時間軸）によって定義されるＯＦＤＭフレーム（伝送フレーム）を生成する。一方で、ＯＦＤＭフレーム化部１３Ｂは、符号化部１１Ｄから出力される第２データシンボル系列及び差動変調部１２Ｄから出力される第２制御シンボル系列に基づいて、所定数のサブキャリア（周波数軸）及び所定数のシンボル数（時間軸）によって定義されるＯＦＤＭフレーム（伝送フレーム）を生成する。
【００４４】
ＯＦＤＭフレーム（伝送フレーム）は、データ信号に対応するデータシンボル、制御信号に対応する制御シンボル、パイロットシンボル等によって構成される。制御信号は、例えば、ＴＭＣＣ（Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  Ｃｏｎｔｒｏｌ）信号、ＡＣ（Ａｕｘｉｌｉａｒｙ  Ｃｈａｎｎｅｌ）信号等である。例えば、ＴＭＣＣ信号は、複数の階層のそれぞれの伝送パラメータ（変調方式、セグメント数、符号化率等）を示す信号、ＯＦＤＭフレーム（伝送フレーム）の同期をとるための同期信号を含む。
【００４５】
すなわち、第１実施形態において、ＯＦＤＭフレーム化部１３は、複数系統の制御シンボル系列を含む伝送フレームを生成する伝送フレーム生成部を構成する。
【００４６】
ＩＦＦＴ部１４は、ＩＦＦＴ部１４Ａ及びＩＦＦＴ部１４Ｂを含む。ＩＦＦＴ部１４Ａは、ＯＦＤＭフレーム化部１３Ａから出力されるＯＦＤＭフレームに逆フーリエ変換を施す。一方で、ＩＦＦＴ部１４Ｂは、ＯＦＤＭフレーム化部１３Ｂから出力されるＯＦＤＭフレームに逆フーリエ変換を施す。
【００４７】
ＧＩ付加部１５は、ＧＩ付加部１５Ａ及びＧＩ付加部１５Ｂを含む。ＧＩ付加部１５Ａは、ＩＦＦＴ部１４Ａから出力された信号にＧＩ（Ｇｕｒａｒｄ  Ｉｎｔｅｒｖａｌ）を付加する。一方で、ＧＩ付加部１５Ｂは、ＩＦＦＴ部１４Ｂから出力された信号にＧＩ（Ｇｕｒａｒｄ  Ｉｎｔｅｒｖａｌ）を付加する。
【００４８】
第１実施形態では、数系統の制御シンボル系列のそれぞれを含む複数系統のＯＦＤＭフレーム（伝送フレーム）は、ＭＩＳＯ伝送又はＭＩＭＯ伝送によって送信されることに留意すべきである。
【００４９】
（受信装置）
図４に示すように、受信装置２０は、ＧＩ除去部２１と、ＦＦＴ部２２と、分離部２３と、差動復調部２４と、復号部２５とを有する。受信装置２０は、例えば、家庭内に固定的に設置される受像器、ユーザが持ち運び可能な移動端末に設けられる。
【００５０】
なお、第１実施形態では、データ信号の処理が従来と同様であり、制御信号の処理が特徴を有する。従って、図４では、データ信号の処理の詳細については省略されていることに留意すべきである。
【００５１】
ＧＩ除去部２１は、ＧＩ除去部２１Ａ及びＧＩ除去部２１Ｂを含む。ＧＩ除去部２１Ａは、アンテナＲｘ１で受信された信号からＧＩ（Ｇｕｒａｒｄ  Ｉｎｔｅｒｖａｌ）を除去する。一方で、ＧＩ除去部２１Ｂは、アンテナＲｘ２で受信された信号からＧＩ（Ｇｕｒａｒｄ  Ｉｎｔｅｒｖａｌ）を除去する。
【００５２】
ＦＦＴ部２２は、ＦＦＴ部２２Ａ及びＦＦＴ部２２Ｂを含む。ＦＦＴ部２２Ａは、ＧＩ除去部２１Ａから出力される信号にフーリエ変換を施す。一方で、ＦＦＴ部２２Ｂは、ＧＩ除去部２１Ｂから出力される信号にフーリエ変換を施す。
【００５３】
分離部２３は、分離部２３Ａ及び分離部２３Ｂを含む。分離部２３Ａは、ＦＦＴ部２２Ａから出力される信号から、ＳＰ（Ｓｃａｔｔｅｒｅｄ  Ｐｉｌｏｔ）シンボル、データ信号に対応するキャリア及び制御信号（ＴＭＣＣ信号及びＡＣ信号等）に対応するキャリアを分離する。分離部２３Ｂは、ＦＦＴ部２２Ｂから出力される信号から、ＳＰ（Ｓｃａｔｔｅｒｅｄ  Ｐｉｌｏｔ）シンボル、データ信号に対応するキャリア及び制御信号（ＴＭＣＣ信号及びＡＣ信号等）に対応するキャリアを分離する。
【００５４】
差動復調部２４は、差動復調部２４Ａ及び差動復調部２４Ｂを含む。差動復調部２４Ａは、差動復調部２４Ａは、分離部２３Ａで分離された制御信号（ＴＭＣＣ信号及びＡＣ信号等）に対応するキャリアを復調して、制御シンボル系列を特定する。差動復調部２４Ａは、特定された制御シンボル系列に対して、差動復調処理を施す。差動復調部２４Ｂは、分離部２３Ｂで分離された制御信号（ＴＭＣＣ信号及びＡＣ信号等）に対応するキャリアを復調して、制御シンボル系列を特定する。差動復調部２４Ｂは、特定された制御シンボル系列に対して、差動復調処理を施す。
【００５５】
復号部２５は、差動復調部２４Ａ及び差動復調部２４Ｂから出力される２系統の制御シンボルに基づいて、制御信号（ＴＭＣＣ信号及びＡＣ信号等）を復号する。具体的には、復号部２５は、差動復調部２４Ａ及び差動復調部２４Ｂから出力される２系統の制御シンボルを時空間復号化によって復号して、制御信号（ＴＭＣＣ信号及びＡＣ信号等）を取得する。
【００５６】
すなわち、第１実施形態において、復号部２５は、複数系統の制御シンボル系列を時空間復号によって復号し、制御シンボル系列の少なくとも一部を生成する制御信号復号部を構成する。
【００５７】
（作用及び効果）
第１実施形態では、符号化部１２Ｃは、制御信号（ＴＭＣＣ信号及びＡＣ信号等）を時空空間符号化によって符号化するため、制御信号の逆相合成が抑制され、制御信号の受信特性を改善することができる。
【００５８】
［変更例１］
以下において、第１実施形態の変更例1について説明する。以下においては、第１実施形態に対する相違点について説明する。
【００５９】
具体的には、第１実施形態では、制御信号の全体が時空間符号化によって符号化されるが、変更例１では、制御信号のうち、同期信号を除いた信号が時空間符号化によって符号化される。すなわち、変更例１では、同期信号が時空間符号化によって符号化されない。同期信号を除いた信号とは、例えば、複数の階層のそれぞれの伝送パラメータ（変調方式、セグメント数、符号化率等）を示す信号（以下、伝送パラメータ信号）及びＡＣ信号などである。
【００６０】
（送信装置）
図５に示すように、送信装置１０は、図１に示す構成に加えて、同期信号生成部１２Ｅを有する。同期信号生成部１２Ｅは、ＯＦＤＭフレーム（伝送フレーム）の同期をとるための同期信号を生成する。
【００６１】
ここで、同期信号は、差動変調部１２Ｄによって差動変調処理が施された上でＯＦＤＭフレーム化部１３に入力される。一方で、同期信号以外の制御信号（例えば、伝送パラメータ信号）は、第１実施形態と同様に、符号化部１２Ｃによって時空間符号化が施された上でＯＦＤＭフレーム化部１３に入力される。
【００６２】
（受信装置）
図６に示すように、受信装置２０は、差動復調部２４に代えて、伝送路推定部２６を有する。伝送路推定部２６は、伝送路推定部２６Ａ及び伝送路推定部２６Ｂを有する。伝送路推定部２６Ａは、ＦＦＴ部２２Ａから出力される信号に含まれる既知のパイロットキャリアを抽出して、抽出されたパイロットキャリアに応じて、パイロットキャリアの伝送路応答を推定する。同様に、伝送路推定部２６Ｂは、ＦＦＴ部２２Ｂから出力される信号に含まれる既知のパイロットキャリアを抽出して、抽出されたパイロットキャリアに応じて、パイロットキャリアの伝送路応答を推定する。
【００６３】
変更例１においては、復号部２５は、伝送路推定部２６Ａによって推定された伝送路応答に応じて、分離部２３Ａで分離された制御信号（ＴＭＣＣ信号及びＡＣ信号等）に対応するキャリアを復調して、制御シンボル系列を特定する。同様に、復号部２５は、伝送路推定部２６Ｂによって推定された伝送路応答に応じて、分離部２３Ｂで分離された制御信号（ＴＭＣＣ信号及びＡＣ信号等）に対応するキャリアを復調して、制御シンボル系列を特定する。
【００６４】
［変更例２］
以下において、第１実施形態の変更例２について説明する。以下においては、第１実施形態に対する相違点について説明する。
【００６５】
具体的には、第１実施形態では、送信装置１０が複数のアンテナを有するケースについて説明した。これに対して、変更例２では、送信装置１０は、単数のアンテナを有する。すなわち、変更例２では、複数系統の制御シンボル系列を含む１系統の伝送フレームがＳＩＳＯ伝送によって送信されるケースについて説明する。
【００６６】
（送信装置）
図７に示すように、送信装置１０は、単数のアンテナＴｘを有する。従って、ＯＦＤＭフレーム化部１３、ＩＦＦＴ部１４及びＧＩ付加部１５についても１系統である。
【００６７】
ここで、上述した符号化部１２Ｃは、図８に示すように、２本のアンテナに代えて、２本のキャリアを用いて時空間符号化を行う。変更例２では、単数のアンテナを用いるため、時空間符号化としては、ＳＴＢＣが用いられることに留意すべきである。
【００６８】
［変更例３］
以下において、第１実施形態の変更例３について説明する。以下においては、変更例２に対する相違点について説明する。
【００６９】
具体的には、変更例２では、制御信号の全体が時空間符号化によって符号化されるが、変更例３では、制御信号のうち、同期信号を除いた信号が時空間符号化によって符号化される。すなわち、変更例３では、同期信号が時空間符号化によって符号化されない。同期信号を除いた信号とは、例えば、複数の階層のそれぞれの伝送パラメータ（変調方式、セグメント数、符号化率等）を示す信号（以下、伝送パラメータ信号）及びＡＣ信号などである。
【００７０】
（送信装置）
図９に示すように、送信装置１０は、図７に示す構成に加えて、同期信号生成部１２Ｅを有する。同期信号生成部１２Ｅは、ＯＦＤＭフレーム（伝送フレーム）の同期をとるための同期信号を生成する。
【００７１】
ここで、同期信号は、差動変調部１２Ｄによって差動変調処理が施された上でＯＦＤＭフレーム化部１３に入力される。一方で、同期信号以外の制御信号（例えば、伝送パラメータ信号）は、変更例２と同様に、符号化部１２Ｃによって時空間符号化が施された上でＯＦＤＭフレーム化部１３に入力される。
【００７２】
［変更例４］
以下において、第１実施形態の変更例４について説明する。以下においては、第１実施形態に対する相違点について説明する。
【００７３】
具体的には、第１実施形態では、デジタル放送システムにおいて、単数の送信装置１０が設けられるケースについて説明した。これに対して、変更例４では、デジタル放送システムにおいて、複数の送信装置１０が設けられる。制御シンボル系列は、互いに異なる送信装置によって２段階で時空間符号化される。ここでは、送信装置１０として、送信装置Ａ及び送信装置Ｂが設けられるケースについて説明する。
【００７４】
第１実施形態において、送信装置Ａ及び送信装置Ｂは、同一のデータを取得することに留意すべきである。送信装置Ａ及び送信装置Ｂは、特に限定されるものではないが、互いに離れた位置に設けられる。送信装置Ａ及び送信装置Ｂで用いられる周波数は同一であり、デジタル放送システムは、ＳＦＮ（Ｓｉｎｇｌｅ  Ｆｒｅｑｕｅｎｃｙ  Ｎｅｔｗｏｒｋ）を構成する。
【００７５】
変更例４では、図１０及び図１１に示すように、デジタル放送システムでは、３つの符号化器（ＳＴＣ＃０、ＳＴＣ＃１、ＳＴＣ＃２）が設けられており、３つの符号化器は、第１シンボルＰ０及び第２シンボルＰ１によって構成されるブロック毎に、第１シンボルＰ０及び第２シンボルＰ１を符号化する。
【００７６】
ここで、ＳＴＣ＃０は、送信装置Ａに設けられる第１符号化部、或いは、送信装置Ｂに設けられる第１符号化部である。ＳＴＣ＃１は、送信装置Ａに設けられる第２符号化部及び送信装置Ｂに設けられる第２符号化部によって構成される符号化器である。ＳＴＣ＃２は、送信装置Ａに設けられる第３符号化部及び送信装置Ｂに設けられる第３符号化部によって構成される符号化器である。
【００７７】
また、ＳＴＣ＃０は、時空間符号化によってシンボル系列を符号化することによって、第１シンボル系列及び第２シンボル系列を生成する。ＳＴＣ＃１は、第１シンボル系列を時空間符号化によって符号化することによって、第１シンボル系列Ａ及び第１シンボル系列Ｂを生成する。ＳＴＣ＃２は、第２シンボル系列を時空間符号化によって符号化することによって、第２シンボル系列Ａ及び第２シンボル系列Ｂを生成する。
【００７８】
図１０に示すように、時空間符号化としてＳＴＢＣを用いる場合には、ＳＴＣ＃０は、例えば、シンボル系列（Ｓ０，０，Ｓ０，１）を変換行列Ｍによって符号化して、時間軸方向に並ぶ第１シンボル系列（Ｓ０，０，Ｓ０，１）及び第２シンボル系列（Ｓ０，１＊，−Ｓ０，０＊）を生成する。ＳＴＣ＃１は、第１シンボル系列（Ｓ０，０，Ｓ０，１）を変換行列Ｌによって符号化して、時間軸方向に並ぶ第１シンボル系列Ａ（Ｓ０，０，Ｓ０，１）及び第１シンボル系列Ｂ（−Ｓ０，１＊，Ｓ０，０＊）を生成する。ＳＴＣ＃２は、第２シンボル系列（Ｓ０，１＊，−Ｓ０，０＊）を変換行列Ｍによって符号化することによって、時間軸方向に並ぶ第２シンボル系列Ａ（Ｓ０，１＊，−Ｓ０，０＊）及び第２シンボル系列Ｂ（−Ｓ０，０，−Ｓ０，１）を生成する。
【００７９】
図１１に示すように、時空間符号化としてＳＦＢＣを用いる場合には、ＳＴＣ＃０は、例えば、シンボル系列（Ｓ０，０，Ｓ０，１）を変換行列Ｍによって符号化して、周波数軸方向に並ぶ第１シンボル系列（Ｓ０，０，Ｓ０，１）及び第２シンボル系列（Ｓ０，１＊，−Ｓ０，０＊）を生成する。ＳＴＣ＃１は、第１シンボル系列（Ｓ０，０，Ｓ０，１）を変換行列Ｌによって符号化して、周波数軸方向に並ぶ第１シンボル系列Ａ（Ｓ０，０，Ｓ０，１）及び第１シンボル系列Ｂ（−Ｓ０，１＊，Ｓ０，０＊）を生成する。ＳＴＣ＃２は、第２シンボル系列（Ｓ０，１＊，−Ｓ０，０＊）を変換行列Ｍによって符号化することによって、周波数軸方向に並ぶ第２シンボル系列Ａ（Ｓ０，１＊，−Ｓ０，０＊）及び第２シンボル系列Ｂ（−Ｓ０，０，−Ｓ０，１）を生成する。
【００８０】
図１０及び図１１において、第１シンボル系列Ａ（Ｓ０，０，Ｓ０，１）及び第２シンボル系列Ａ（Ｓ０，１＊，−Ｓ０，０＊）は、送信装置Ａから送信される。第１シンボル系列Ｂ（−Ｓ０，１＊，Ｓ０，０＊）及び第２シンボル系列Ｂ（−Ｓ０，０，−Ｓ０，１）は、送信装置Ｂから送信される。
【００８１】
［変更例５］
以下において、第１実施形態の変更例５について説明する。以下においては、変更例４に対する相違点について説明する。
【００８２】
具体的には、変更例４では、送信装置１０が複数のアンテナを有するケースについて説明した。これに対して、変更例５では、送信装置１０は、単数のアンテナを有する。すなわち、変更例５では、複数系統の制御シンボル系列及びデータシンボル系列に基づいて生成された１系統の伝送フレームがＳＩＳＯ伝送によって送信されるケースについて説明する。
【００８３】
図１２に示すように、送信装置Ａ及び送信装置Ｂに設けられる２本のアンテナに代えて、２本のキャリアを用いて時空間符号化が行われる。これによって、変更例４と同様に、互いに異なる送信装置によって２段階で制御シンボル系列を時空間符号化によって符号化することができる。
【００８４】
ここで、図１２においては、送信装置Ｂから周波数ｆ１によって搬送されるシンボルは、送信装置Ａから周波数ｆ２によって搬送されるシンボルと同じであり、送信装置Ｂから周波数ｆ２によって搬送されるシンボルは、送信装置Ａから周波数ｆ１によって搬送されるシンボルと同じであることに留意すべきである。
【００８５】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【００８６】
実施形態では特に触れていないが、送信装置１０及び受信装置２０が行う各処理をコンピュータに実行させるプログラムが提供されてもよい。また、プログラムは、コンピュータ読取り可能媒体に記録されていてもよい。コンピュータ読取り可能媒体を用いれば、コンピュータにプログラムをインストールすることが可能である。ここで、プログラムが記録されたコンピュータ読取り可能媒体は、非一過性の記録媒体であってもよい。非一過性の記録媒体は、特に限定されるものではないが、例えば、ＣＤ−ＲＯＭやＤＶＤ−ＲＯＭ等の記録媒体であってもよい。
【００８７】
或いは、送信装置１０及び受信装置２０が行う各処理を実行するためのプログラムを記憶するメモリ及びメモリに記憶されたプログラムを実行するプロセッサによって構成されるチップが提供されてもよい。
【符号の説明】
【００８８】
１０…送信装置、１１…データ信号処理部、１１Ａ…誤り訂正外符号化部、１１Ｂ…誤り訂正内符号化部、１１Ｃ…キャリア変調部、１１Ｄ…符号化部、１２…制御信号処理部、１２Ａ…制御信号生成部、１２Ｂ…キャリア変調部、１２Ｃ…符号化部、１２Ｄ…差動変調部、１２Ｅ…同期信号生成部、１３…ＯＦＤＭフレーム化部、１４…ＩＦＦＴ部、１５…ＧＩ付加部、２０…受信装置、２１…ＧＩ除去部、２２…ＦＦＴ部、２３…分離部、２４…差動復調部、２５…復号部、２６…伝送路推定部
【図１】
2015080037.tif 000007
【図２】
2015080037.tif 000008
【図３】
2015080037.tif 000009
【図４】
2015080037.tif 000010
【図５】
2015080037.tif 000011
【図６】
2015080037.tif 000012
【図７】
2015080037.tif 000013
【図８】
2015080037.tif 000014
【図９】
2015080037.tif 000015
【図１０】
2015080037.tif 000016
【図１１】
2015080037.tif 000017
【図１２】
2015080037.tif 000018